(57)【要約】【課題】無線区間における伝送レートの効率化を図ることができるような技術を提供する。【解決手段】送信側の無線装置である第１無線通信装置３において、フレーム間ギャップ、プリアンブル、ＭＡＣアドレスおよびＩＰアドレスを削除して無線区間にデータを送信すると共に、このデータを受信した受信側の無線装置である第２無線通信装置４において、第１無線通信装置３の送信時に削除したこれらの情報を付加することにより、送信する無線データのビット数を減らすようにする。【選択図】図２
2007104552.tif 000002
【特許請求の範囲】
【請求項１】
送信側の無線通信装置である第１無線通信装置において、
この第１無線通信装置と接続される第１端末から、通信内容に依存しない固定値データを含んだ有線通信形式の第１データを受信するステップと、
受信した有線通信形式の第１データ中の前記固定値データを削除して第２データとするステップと、
この第２データを無線通信形式のデータに変換すると共に、この無線通信形式の第２データを受信側の無線通信装置である第２無線通信装置に送信すべく、無線区間に送出するステップと、を実行し、
前記第２無線通信装置において、
前記第１無線通信装置から送出された前記無線通信形式の第２データを受信するステップと、
この受信した第２データを有線通信形式のデータに変換すると共に、前記有線通信形式とされた第２データに前記固定値データを追加して第１データを復元するステップと、
この第１データを前記第２無線通信装置と接続される第２端末に送出するステップと、を実行する、
通信方法。
【請求項２】
前記固定値データは、通信方式により定まる、
請求項１記載の通信方法。
【請求項３】
前記固定値データは、フレーム間ギャップおよび／またはプリアンブルである、
請求項１または２記載の通信方法。
【請求項４】
前記固定値データは、無線通信装置と接続される端末毎に定まる値のデータであり、
前記第１無線通信装置および前記第２無線通信装置は、予め第２無線通信装置と接続される第２端末の固定値データが格納された端末メモリをそれぞれ有しており、
前記第２無線通信装置における第１データを復元するステップは、
前記第２無線通信装置内の前記端末メモリを参照して前記固定値データを前記有線通信形式とされた第２データに追加して第１データを復元するようになっている、請求項１記載の通信方法。
【請求項５】
前記第１無線通信装置において、
前記第１無線通信装置の端末メモリ内の固定値データと前記受信した有線通信形式の第１データ中の前記固定値データとが一致する場合に、この第１データ中の前記固定値データを削除する、請求項４記載の通信方法。
【請求項６】
前記固定値データは、ＭＡＣアドレスおよび／またはＩＰアドレスである、請求項４または５記載の通信方法。
【請求項７】
第１端末と接続されており、受信側の第２無線通信装置と共に用いられる送信側の第１無線通信装置であって、
前記第１端末から、通信内容に依存しない固定値データを含んだ有線通信形式の第１データを受信するためのインタフェース部と、
このインタフェース部で受信した前記有線通信形式の第１データ中の前記固定値データを削除して第２データとする第１処理部と、
この第２データを無線通信形式のデータに変換する第２処理部と、
この無線通信形式の第２データを前記第２無線通信装置に送信すべく、該無線通信形式の第２データを無線区間に送出するためのアンテナと、
を有する、第１無線通信装置。
【請求項８】
前記固定値データは、無線通信装置と接続される端末毎に定まる値のデータであり、
前記第１無線通信装置は、前記第２無線通信装置と接続される第２端末の固定値データが格納された端末メモリをさらに有しており、
前記第１処理部は、前記端末メモリ内の固定値データと前記インタフェース部で受信した有線通信形式の第１データ中の前記固定値データとが一致する場合に、この第１データ中の前記固定値データを削除するようになっている、請求項７記載の第１無線通信装置。
【請求項９】
第２端末と接続されており、送信側の無線通信装置である第１無線通信装置と共に用いられる受信側の第２無線通信装置であって、
前記第１無線通信装置は、
有線通信形式のデータ中の通信内容に依存しない固定値データを削除すると共に、この固定値データを削除した有線通信形式のデータを無線通信形式のデータに変換して無線区間に送出するように構成されており、
前記第２無線通信装置は、
前記第１無線通信装置から送出された無線通信形式のデータを受信するためのアンテナと、
この受信した無線通信形式のデータを有線通信形式のデータに変換する第１処理部と、
この有線通信形式とされたデータに前記固定値データを追加する第２処理部と、
この固定値データを追加したデータを前記第２端末に送信するためのインタフェース部と、
を有する、第２無線通信装置。
【請求項１０】
前記固定値データは無線通信装置と接続される端末毎に定まる値のデータであり、
前記第１無線通信装置は、前記第２無線通信装置と接続される第２端末の固定値データが格納された端末メモリをさらに有しており、
前記第２処理部は、前記有線通信形式とされたデータに前記端末メモリ内に格納されている前記固定値データを追加する、
請求項９記載の第２無線通信装置。
【発明の詳細な説明】
【技術分野】
【０００１】
本発明は、無線通信装置、およびこの無線通信装置を利用した通信方法に関する。
【背景技術】
【０００２】
ある端末内の有線データを他の端末に無線により送信する場合、その有線データの情報を何ら削除することなく、そのまま無線データに変換して送信することが一般的である。
【発明の開示】
【発明が解決しようとする課題】
【０００３】
無線通信においては、送信する無線データの量が多いと伝送レートが低くなったり、あるいは伝送レートを確保すべく信号処理を高速にするための複雑な回路が必要となるという不都合があった。
【０００４】
本発明はこのような背景のもとに創案されたもので、無線区間に送出されるデータ量を減らし、伝送レートの効率化を図ることができるような技術を提供することを、その課題とする。
【課題を解決するための手段】
【０００５】
本発明が提供する通信方法は、送信側の無線通信装置である第１無線通信装置において、この第１無線通信装置と接続される第１端末から、通信内容に依存しない固定値データを含んだ有線通信形式の第１データを受信するステップと、受信した有線通信形式の第１データ中の前記固定値データを削除して第２データとするステップと、この第２データを無線通信形式のデータに変換すると共に、この無線通信形式の第２データを受信側の無線通信装置である第２無線通信装置に送信すべく、無線区間に送出するステップと、を実行し、前記第２無線通信装置において、前記第１無線通信装置から送出された前記無線通信形式の第２データを受信するステップと、この受信した第２データを有線通信形式のデータに変換すると共に、前記有線通信形式とされた第２データに前記固定値データを追加して第１データを復元するステップと、この第１データを前記第２無線通信装置と接続される第２端末に送出するステップと、を実行する、通信方法である。
この通信方法によれば、送信側の無線通信装置において送信すべきデータの一部である固定値データを削除してデータを送信すると共に、受信側の無線通信装置において固定値データを付加することにより、無線区間に送出する無線データのビット数を減らすことができ、伝送レートの効率化を図ることができる。
【０００６】
なお、固定値データは、通信内容に依存しないデータを意味し、例えばＴＣＰ／ＩＰ等の通信方式により定まるデータであり得る。このような固定値データであれば、第２無線通信装置においてこの固定値データは一意に定まっているため、これを付加することができる。
このような固定値データとしては、例えばフレーム間ギャップおよび／またはプリアンブルが挙げられる。ここで、フレーム間ギャップとは、フレームの先端、終端の目印となる、フレームとフレームとの間に挿入されるアイドルパターンで埋め尽くされたデータを意味する。また、プリアンブルとは、例えばイーサネット（Eternet）（登録商標）におけるデータ通信で用いられ、送信元ノードから宛先ノードに対してフレームを送る前に、宛先ノードを含む他のノードにフレームの送信を通知するために送信するデータを意味する。
【０００７】
また、この固定値データは、無線通信装置と接続される端末毎に定まる値のデータであってもよい。この場合の通信方法は、前記第１無線通信装置および前記第２無線通信装置は、予め第２無線通信装置と接続される第２端末の固定値データが格納された端末メモリをそれぞれ有しており、前記第２無線通信装置における第１データを復元するステップは、前記第２無線通信装置内の前記端末メモリを参照して前記固定値データを前記有線通信形式とされた第２データに追加して第１データを復元するようになっている通信方法とすることができる。
このように第２無線通信装置と接続される第２端末の固定値データを第１無線通信装置および第２無線通信装置が有していれば、データ送信の際に第１無線通信装置において固定値データを削除しても、第２無線通信装置で該固定値データを付加することができる。
なお、第１無線通信装置において、前記第１無線通信装置の端末メモリ内の固定値データと前記受信した有線通信形式の第１データ中の前記固定値データとが一致する場合に、この第１データ中の前記固定値データを削除するようにしてもよい。
このような固定値データとしては、例えばＭＡＣアドレスおよび／またはＩＰアドレスが挙げられる。
【０００８】
以上のような本発明の通信方法は、以下に記載する本発明の無線通信装置によって実現することができる。
すなわち、本発明の第１無線通信装置は、第１端末と接続されており、受信側の第２無線通信装置と共に用いられる送信側の第１無線通信装置であって、前記第１端末から、通信内容に依存しない固定値データを含んだ有線通信形式の第１データを受信するためのインタフェース部と、このインタフェース部で受信した前記有線通信形式の第１データ中の固定値データを削除して第２データとする第１処理部と、この第２データを無線通信形式のデータに変換する第２処理部と、この無線通信形式の第２データを前記第２無線通信装置に送信すべく、該無線通信形式の第２データを無線区間に送出するためのアンテナと、を有する。
【０００９】
この第１無線通信装置における前記固定値データは、無線通信装置と接続される端末毎に定まる値のデータであり、前記第１無線通信装置は、前記第２無線通信装置と接続される第２端末の固定値データが格納された端末メモリをさらに有しており、前記第１処理部は、前記端末メモリ内の固定値データと前記インタフェース部で受信した有線通信形式の第１データ中の前記固定値データとが一致する場合に、この第１データ中の固定値データを削除するようになっていてもよい。
【００１０】
また、本発明の第２無線通信装置は、第２端末と接続されており、送信側の無線通信装置である第１無線通信装置と共に用いられる受信側の第２無線通信装置であって、前記第１無線通信装置は、有線通信形式のデータ中の通信内容に依存しない固定値データを削除すると共に、この固定値データを削除した有線通信形式のデータを無線通信形式のデータに変換して無線区間に送出するように構成されており、前記第２無線通信装置は、前記第１無線通信装置から送出された無線通信形式のデータを受信するためのアンテナと、この受信した無線通信形式のデータを有線通信形式のデータに変換する第１処理部と、この有線通信形式とされたデータに前記固定値データを追加する第２処理部と、この固定値データを追加したデータを前記第２端末に送信するためのインタフェース部と、を有する。
【００１１】
前記固定値データは無線通信装置と接続される端末毎に定まる値のデータであり、前記第１無線通信装置は、前記第２無線通信装置と接続される第２端末の固定値データが格納された端末メモリをさらに有しており、前記第２処理部は、前記有線通信形式とされたデータに前記端末メモリ内に格納されている前記固定値データを追加するようになっていてもよい。
【発明の効果】
【００１２】
以上のような本発明によれば、伝送レートの効率化を図ることができる。
【発明を実施するための最良の形態】
【００１３】
以下、図面を参照して、本発明の実施形態を説明する。
図１は、本発明による無線通信装置１と、この無線通信装置１とＬＡＮ接続されている端末２とを示す概略構成図である。
この図に示すように、無線通信装置１は、ＬＡＮインタフェース部１０と、無線フレーム信号処理部１１と、高周波部１２と、アンテナ１３とを含む。
ＬＡＮインタフェース部１０は、端末２のデータを無線通信装置１を介して他の端末に送信する際（以下、無線通信装置１が送信側となる場合、という。）に、この送信すべき所定のデータを端末２から受信し、この受信データを無線通信装置１に取り込むようになっている。一方、端末２宛てのデータを無線通信装置１を介して他の端末から受信した場合（以下、無線通信装置１が受信側となる場合、という。）には、無線フレーム信号処理部１１から受け取ったデータを端末２に送出するようになっている。
無線フレーム信号処理部１１は、無線通信装置１が送信側となる場合には、他の無線通信装置に受信データを無線で伝達するのに適したデータフレームに変換するようになっている。一方、無線通信装置１が受信側となる場合には、高周波部から受け取ったデータをデータフレームに再生するようになっている。
高周波部１２は、無線通信装置１が送信側となる場合には、無線フレーム信号処理部１１で所定のデータフレームに変換されたデータを周波数変換するようになっている。一方、無線通信装置１が受信側となる場合には、アンテナ１３により受信した受信データを周波数変換するようになっている。
アンテナ１３は、無線通信装置１が送信側となる場合には、高周波部１２により周波数変換されたデータを無線区間に送出するようになっている。一方、無線通信装置１が受信側となる場合には、他の端末からのデータをこのアンテナ１３で受信するようになっている。
【００１４】
図２は、本発明による第１無線通信装置３および第２無線通信装置４を使用して第１無線通信装置３から第２無線通信装置４にデータを送信する場合における、第１無線通信装置３および第２無線通信装置４の構成を示す回路ブロック構成の説明図である。
なお、第１無線通信装置３および第２無線通信装置４のＭＡＣアドレスおよびＩＰアドレスは固定であるものとする。
【００１５】
第１無線通信装置３は、図示しない第１端末とＬＡＮ接続されており、第２無線通信装置４は、図示しない第２端末とＬＡＮ接続されている。
送信側となる第１無線通信装置３は、ＬＡＮデータ受信部２０と、第２端末メモリ２１と、データ判定部２２と、無線フレーム生成部２３と、無線周波数変換部２４と、無線フレーム抽出部２５と、第２端末情報抽出部２６と、第２端末情報設定部２７と、データ再生部２８と、ＬＡＮデータ送信部２９と、を有している。
なお、ＬＡＮデータ受信部２０とＬＡＮデータ送信部２９は、図１のＬＡＮインタフェース部１０に相当し、第２端末メモリ２１と、データ判定部２２と、無線フレーム生成部２３と、無線フレーム抽出部２５と、第２端末情報抽出部２６と、第２端末情報設定部２７と、データ再生部２８は、図１の無線フレーム信号処理部１１に相当し、無線周波数変換部２４は、図１の高周波部１２およびアンテナ１３に相当する。
【００１６】
ＬＡＮデータ受信部２０は、第１端末からのＬＡＮデータを受信するように構成されている。本実施形態では、このＬＡＮデータには固定値を示すフレーム間ギャップとプリアンブル、およびＭＡＣアドレスおよびＩＰアドレスが含まれているものとして説明するが、第１端末からのＬＡＮデータには、通信内容に依存しない固定値データが含まれていればよい。このような固定値データは、フレーム間ギャップとプリアンブルのように通信方式により定まるデータであってもよいし、ＭＡＣアドレスおよびＩＰアドレスのように無線通信装置と接続される端末毎に定まる値のデータであってもよい。
【００１７】
第２端末メモリ２１は、受信側の第２無線通信装置４と接続される第２端末に関する固定値データを記憶するメモリであり、本実施形態では予め第２端末のＭＡＣアドレスおよびＩＰアドレスが記憶されている。
【００１８】
データ判定部２２は、ＬＡＮデータ受信部２０で受信したＬＡＮデータに含まれるＭＡＣアドレスおよびＩＰアドレスが第２端末メモリ２１に格納されている第２端末のＭＡＣアドレスおよびＩＰアドレスと一致するか否かを確認し、一致する場合には該ＬＡＮデータからフレーム間ギャップおよびプリアンブルを削除すると共に、さらにＭＡＣアドレスおよびＩＰアドレスを削除し、これらを削除したデータを無線フレーム生成部２３に送出するように構成されている。
【００１９】
無線フレーム生成部２３は、データ判定部２２より受け取ったＬＡＮデータを無線により送信するのに適した所定のフレームフォーマットのデータフレームに変換するように構成されている。
【００２０】
無線周波数変換部２４は、無線フレーム生成部２３より受け取ったデータを周波数変換して無線ＲＦ信号に変換し、無線区間に送出するように構成されている。
【００２１】
受信側となる第２無線通信装置４は、無線周波数変換部４０と、無線フレーム抽出部４１と、第２端末情報設定部４２と、第２端末メモリ４３と、データ再生部４４と、ＬＡＮデータ送信部４５と、ＬＡＮデータ受信部４６と、データ判定部４７と、無線フレーム生成部４８と、を有している。なお、ＬＡＮデータ送信部４５とＬＡＮデータ受信部４６は、図１のＬＡＮインタフェース部１０に相当し、無線フレーム抽出部４１と、第２端末情報設定部４２と、第２端末メモリ４３と、データ再生部４４と、データ判定部４７と、無線フレーム生成部４８とは、図１の無線フレーム信号処理部１１に相当し、無線周波数変換部４０は、図１の高周波部１２およびアンテナ１３に相当する。
【００２２】
この無線周波数変換部４０は、他の無線通信装置からの第２無線通信装置４宛ての無線ＲＦ信号を受信できるようになっており、無線ＲＦ信号を受信した場合には受信した無線ＲＦ信号を周波数変換して無線フレーム抽出部４１に送出するように構成されている。
【００２３】
無線フレーム抽出部４１は、無線周波数変換部４０から受け取ったデータのデータフレームを抽出し、データ再生部４４に送出するように構成されている。
【００２４】
第２端末情報設定部４２は、第２端末のＭＡＣアドレスおよびＩＰアドレスをユーザが設定することによって第２端末情報を設定できるようになっており、設定した第２端末情報は第２端末メモリ４３に格納されるように構成されている。
【００２５】
データ再生部４４は、他の無線通信装置からの送信の際に省略されたフレーム間ギャップとプリアンブル、および第２メモリから読み出したＭＡＣアドレスおよびＩＰアドレスを、無線フレーム抽出部４１から受け取ったデータに付加し、ＬＡＮデータ送信部４５に送出するように構成されている。
【００２６】
ＬＡＮデータ送信部４５は、データ再生部４４から受け取ったデータを第２端末に送出するように構成されている。
【００２７】
なお、本実施形態では、第１無線通信装置３から第２無線通信装置４にデータを送信する場合について説明するが、この図に示すように、第１無線通信装置３は、第２無線通信装置４と同様、無線フレーム抽出部２５、データ再生部２８、およびＬＡＮデータ送信部２９を有しており、受信側の無線通信装置にもなり得る。また、第２無線通信装置４は、第１無線通信装置３と同様、ＬＡＮデータ受信部４６、データ判定部４７、および無線フレーム生成部４８を有しており、送信側の無線通信装置にもなり得る。
【００２８】
また、第１無線通信装置３および第２無線通信装置４に第１端末のＭＡＣアドレスおよびＩＰアドレスを記憶した第１端末メモリを設けるようにしてもよい。こうすれば、以下に説明するのと同様の手順により、第２無線通信装置４から第１無線通信装置３に対しても本発明の方法により所定のデータを送信することができるようになる。
また、この端末メモリは１つである必要はなく、対応する受信側の無線通信装置毎に設けてもよい。こうすれば、複数の無線通信装置との通信の際にＭＡＣアドレスおよびＩＰアドレスを削除することができる。また、このような端末メモリを有しないような構成としてもよい。この場合にはＭＡＣアドレスおよびＩＰアドレスを削除して送信することができないが、フレーム間ギャップおよびプリアンブルを削除して送信することはできる。
【００２９】
ここで、第１無線通信装置３の第２端末メモリ２１に、予め第２端末情報である第２端末のＭＡＣアドレスおよびＩＰアドレスを記憶する方法について説明する。
本実施形態では、第２端末情報設定部２７から第１無線通信装置３のユーザが第２端末のＭＡＣアドレスおよびＩＰアドレスを打ち込むようにして設定する方法と、第１無線通信装置３から第２無線通信装置４にＬＡＮデータを送信する前の段階において、第２無線通信装置４から第１無線通信装置３に第２端末情報を送信する方法とが存在する。
【００３０】
後者の方法の１つとして、第１無線通信装置３から第２無線通信装置４にＬＡＮデータを送信する前に、第２無線通信装置４の第２端末メモリ４３に記憶されている第２端末のＭＡＣアドレスおよびＩＰアドレス情報を第１無線通信装置３に送信して設定する方法があげられる。
【００３１】
例えば、第２無線通信装置４の第２端末のＭＡＣアドレスおよびＩＰアドレス情報データのみを無線フレームの一部に組み込んで第２無線通信装置４の無線周波数変換部４０を通じて第１無線通信装置３に送信するようにしてもよい。
第１無線通信装置３に送信されたこれらのデータの第２端末情報は、第２端末情報抽出部２６により抽出され、この情報は第２端末メモリ２１に格納される。
【００３２】
また、第１無線通信装置３および第２無線通信装置４がそれぞれ第１端末のＭＡＣアドレスおよびＩＰアドレスを有するように構成した場合、すなわち、第１無線通信装置３および第２無線通信装置４が図示しない第１端末メモリを有しており、第１端末のＭＡＣアドレスおよびＩＰアドレスが記憶されている場合には、以下の手順によって設定してもよい。
第１無線通信装置３から第２無線通信装置４にＬＡＮデータを送信する前に、第２無線通信装置４から第１無線通信装置３にＬＡＮデータを送信するようにする。この際、第２無線通信装置４の無線フレーム生成部４８においてデータ判定部４７からのデータを所定のデータフレームに変換するときに、無線フレーム生成部４８は、第２端末メモリ４３に記憶されている第２端末情報を該データフレームに付加する。この際、第２端末情報を１つのフレームに付加して送信するようにしてもよいが、複数のフレームに分散させて付加して送信するようにしてもよい。分散して付加すれば、伝送レートを低下させることなく送信することができる。この第２端末情報が付加されたデータは、無線周波数変換部４０を介して第１無線通信装置３に送信されることとなる。
第１無線通信装置３の無線周波数変換部２４によって受信された該データは、無線フレーム抽出部２５においてデータフレームに変換された後、上述のようにデータ再生部２８に送出されることとなるが、この際、第２端末情報抽出部２６によってデータフレームに含まれる第２端末情報が抽出される。この情報は第２端末メモリ２１に格納されるようになっている。
【００３３】
なお、本実施形態では、これらの方法により第２端末情報を設定する際、第２端末メモリ２１に第２端末情報が既に記憶されている場合には、図示しない選択部により、いずれの情報を第２端末情報とするかを選択できるようになっているものとして説明するが、これに限らず、新しい情報を随時第２端末情報として第２端末メモリ２１に上書きするような構成としてもよい。
また、本実施形態においては、送信側の第１無線通信装置３に第２端末情報抽出部２６と第２端末情報設定部２７とが設けられているが、必ずしもこれらを双方とも有している必要はなく、いずれか一方のみを有するような構成としてもよい。
さらに、第１無線通信装置３が第２無線通信装置４のみにデータを送信する場合には、第２端末情報設定部２７および第２端末情報抽出部２６のいずれも設けずに、第２端末メモリ２１に第２端末情報を予め記憶させておくようにしてもよい。
【００３４】
次に、本発明の第１無線通信装置３および第２無線通信装置４を使用して第１無線通信装置３から第２無線通信装置４にデータを送信する手順について、説明する。
【００３５】
図３は、第１無線通信装置３から所定のＬＡＮデータを送信する処理手順を示すフローチャートである。
この図に示すように、まず、第２無線通信装置４と接続される第２端末に送信すべき第１端末のＬＡＮデータを第１無線通信装置３のＬＡＮデータ受信部２０により受信し、ＬＡＮデータ受信部２０は、受信したＬＡＮデータをデータ判定部２２に送出する（ＳＴ１０１）。
データ判定部２２は、該ＬＡＮデータに含まれるＭＡＣアドレスおよびＩＰアドレスが第２端末メモリ２１に格納されている第２端末のＭＡＣアドレスおよびＩＰアドレスと一致するか否かを確認する（ＳＴ１０２）。これらが一致する場合（ＳＴ１０２：ＹＥＳ）、データ判定部２２は、該ＬＡＮデータからフレーム間ギャップおよびプリアンブルを削除すると共に、さらにＭＡＣアドレスおよびＩＰアドレスを削除し、これらを削除したデータを無線フレーム生成部２３に送出する（ＳＴ１０３）。一致しない場合（ＳＴ１０２：ＮＯ）、該ＬＡＮデータは送信されない（ＥＮＤ）。なお、このように本実施形態では一致しない場合にＬＡＮデータは送信されないものとするが、一致しない場合にＬＡＮデータをどのように扱うかは任意である。
無線フレーム生成部２３は、データ判定部２２より受け取ったＬＡＮデータを無線により送信するのに適した所定のフレームフォーマットのデータフレームに変換し、変換したデータを無線周波数変換部２４へ送出する（ＳＴ１０４）。
無線周波数変換部２４は、無線フレーム生成部２３より受け取ったデータを周波数変換して無線ＲＦ信号に変換し、無線区間を介して第２無線通信装置４に送信する（ＳＴ１０５）。
【００３６】
図４は、第１無線通信装置３から送信されたデータを受信した第２無線通信装置４における処理手順を示すフローチャートである。
まず、第２無線通信装置４の無線周波数変換部４０は、上記第１無線通信装置３からの無線ＲＦ信号を受信し、受信した無線ＲＦ信号を周波数変換して無線フレーム抽出部４１に送出する（ＳＴ２０１）。
無線フレーム抽出部４１は、無線周波数変換部４０から受け取ったデータのデータフレームを抽出し、データ再生部４４に送出する（ＳＴ２０２）。
データ再生部４４は、第１無線通信装置３からの送信の際に省略されたフレーム間ギャップ、プリアンブルを無線フレーム抽出部４１から受け取ったデータに付加すると共に、ＭＡＣアドレス、ＩＰアドレスを第２端末メモリ４３から読み出して付加し、このデータをＬＡＮデータ送信部４５に送出する（ＳＴ２０３）。
ＬＡＮデータ送信部４５は、データ再生部４４から受け取ったデータを第２端末に送出する（ＳＴ２０４）。
【００３７】
以上のような本実施形態によれば、図５に示すように、第１無線通信装置３のＬＡＮインタフェース部１０で受信したＬＡＮデータがａ、ｂ、ｃ、ｄという信号列であった場合に、無線フレーム信号処理部１１において送信不要なデータ（本発明における固定値データ）であるａ、ｂ列が削除され、無線区間にｃ、ｄ列のみを含んだデータが第１無線通信装置３から送出され、このｃ、ｄ列のみを含んだデータを受信した第２無線通信装置４で、この信号に無線フレーム信号処理部１１においてａ、ｂ列が付加され、ａ、ｂ、ｃ、ｄという元の信号列に復元されたデータが第２無線通信装置４のＬＡＮインタフェース部１０から出力されるようになっている。
【００３８】
すなわち、送信側の無線通信装置３においてフレーム間ギャップおよびプリアンブルを削除してデータを送信すると共に、受信側の第２無線通信装置４においてこれらの情報を付加することにより、送信する無線データのビット数を減らすことができる。
また、ＭＡＣアドレスおよびＩＰアドレスが固定の場合には、受信側の第２無線通信装置４のＭＡＣアドレスおよびＩＰアドレス情報を送信側の第１無線通信装置３においても保持するようにすることで、送信側の第１無線通信装置３において受信側の第２無線通信装置４のＭＡＣアドレスおよびＩＰアドレス情報を削除してデータを送信すると共に、受信側の第２無線通信装置４においてこれらの情報を付加することにより、無線で送信する無線データのビット数を減らすことができる。
これによって、第１無線通信装置３が第１端末から受信したＬＡＮデータのデータビット長がｎビットである場合、ｍビットのデータ（本発明における固定値データ。すなわち、フレーム間ギャップおよびプリアンブルのみを削除する場合にはこれらの２つのデータ。フレーム間ギャップ、プリアンブル、ＭＡＣアドレス、およびＩＰアドレスを削除する場合にはこれらの４つのデータ。）を省略することができることとなる。すなわち、通常一定時間内でｎビットの処理能力が必要であるのに対し、（ｎ−ｍ）／ｎの処理能力で足りることとなり、伝送レートの効率化を図ることができる。また、動作クロック周波数も（ｎ−ｍ）／ｎに落とすことができ、処理能力を低下させることなく、動作クロック周波数を上げることができる。
【図面の簡単な説明】
【００３９】
【図１】本発明の無線通信装置の構成図。
【図２】本発明の実施形態による回路ブロック構成の説明図。
【図３】本発明の実施形態による第１無線通信装置における処理手順を示すフローチャート。
【図４】本発明の実施形態による第２無線通信装置における処理手順を示すフローチャート。
【図５】本発明の実施形態における信号処理を示す概念図。
【符号の説明】
【００４０】
１，３，４  無線通信装置
２  端末
１０  ＬＡＮインタフェース部
１１  無線フレーム信号処理部
１２  高周波部
１３  アンテナ
２０，４６  ＬＡＮデータ受信部
２１，４３  第２端末メモリ
２２，４７  データ判定部
２３，４８  無線フレーム生成部
２４，４０  無線周波数変換部
２５，４１  無線フレーム抽出部
２６  第２端末情報抽出部
２７，４２  第２端末情報設定部
２８，４４  データ再生部
２９，４５  ＬＡＮデータ送信部
【図１】
2007104552.tif 000003
【図２】
2007104552.tif 000004
【図３】
2007104552.tif 000005
【図４】
2007104552.tif 000006
【図５】
2007104552.tif 000007